(57)【要約】【課題】出力装置からの出力量を調整可能にすること。【解決手段】スピーカ３１は遊技の進行状態に応じた情報を音声出力するものであり、遊技者が前面音量調整ボリューム２４を操作することでスピーカ３１の音量を好みに応じて調整できる。この構成の場合、遊技が特別入賞状態にあるときと通常状態にあるときとで前面音量調整ボリューム２４の調整機能が分けられており、特別入賞状態ではスピーカ３１の音量が大きくなり、通常状態ではスピーカ３１の音量が小さくなる。【選択図】図３
2008253795.tif 000002
【特許請求の範囲】
【請求項１】
遊技の進行状態を示すのに必要な情報を出力する少なくとも１つの出力装置を設けた遊技機において、
同遊技機本体の前面に前記出力装置からの出力量を所定の範囲内で調整できる出力調整器を設け、同出力調整器により前記出力装置の出力内容を変更できるようにしたものであって、
遊技が特別入賞状態にあるときと通常状態にあるときとで前記出力調整器の調整機能を分け、特別入賞状態では前記出力装置からの出力量を大きくすると共に通常状態では前記出力装置からの出力量を小さくすることを特徴とする遊技機。
【発明の詳細な説明】
【技術分野】
【０００１】
本発明は、パチンコ遊技機等の遊技機に係り、特にその改良に関する。
【背景技術】
【０００２】
従来、例えばパチンコ遊技機は、本体に遊技内容を音声で表示するスピーカや、始動口への遊技球の入賞から大当り等の最終状態に至る過程を変動表示する図柄表示装置、遊技の進行に応じて点滅する電飾ランプや枠ランプ等の出力装置を設けている。
【特許文献１】実願平０５−０４４５８９号（実開平０７−００９３８５号）のＣＤ−ＲＯＭ
【特許文献２】特公平０７−９００５４号公報
【特許文献３】特開平０６−２７７３４５号公報
【発明の開示】
【発明が解決しようとする課題】
【０００３】
これら出力装置の出力量である音量や明るさの適正量については、遊技者によって個人差があり、またコンディションによっても異なる場合がある。しかるに、その音量や明るさの調整は、専ら遊技場側関係者によって行われており、遊技者が調整を行うことができなかったり、またランプ類のように調整できないものもあった。そのため、遊技者は、好ましくない状態で遊技を行わなければならない場合があるという問題がある。
【０００４】
本発明は、上記した問題を解決しようとするもので、遊技機に設けた出力装置の出力量を遊技者が簡単に調整することができる遊技機を提供することを目的とする。
【課題を解決するための手段】
【０００５】
請求項１記載の遊技機は、遊技の進行状態を示すのに必要な情報を出力する少なくとも１つの出力装置を設けたものにおいて、同遊技機本体の前面に前記出力装置からの出力量を所定の範囲内で調整できる出力調整器を設け、同出力調整器により前記出力装置の出力内容を変更できるようにしたものであって、遊技が特別入賞状態にあるときと通常状態にあるときとで前記出力調整器の調整機能を分け、特別入賞状態では前記出力装置からの出力量を大きくすると共に通常状態では前記出力装置からの出力量を小さくするところに特徴を有している。
【発明の効果】
【０００６】
請求項１記載の遊技機によれば、本体前面に設けた出力調整器を操作することにより、スピーカの音量や液晶表示装置の輝度や色合い等を所定範囲内で簡単に調整できる。
【発明を実施するための最良の形態】
【０００７】
【実施例１】
【０００８】
図１は、実施例１に係るパチンコ遊技機の本体１０の前面ガラス扉及び上皿盤を取り除いた状態を正面図により示したものである。本体１０は、縦長の長方形の枠形状であり、後側及び下端部を構成する外枠１１と下端部を除く前面側を構成する前面枠１２とを有している。外枠１１は、図１に示すように、左側の上下端に設けたヒンジ部１１ａ，１１ｂによって前面枠１２を回動可能に支持しており、前面枠１２の前面と外枠１１の下端部の前面は面一になっている。前面枠１２は、図１に示すように、枠本体１３を設けており、枠本体１３の下端側には、部品基盤２０が固定されている。部品基盤２０は、中央に下皿２１を設けており、右端部に発射ハンドル２２を設けている。そして、部品基盤２０上の枠本体１３の内周部には、図１に示すような、金属枠１４が嵌め込まれている。
【０００９】
金属枠１４は、四角形状の周囲のほぼ全体に枠本体１３の前面に固定される左右上側のフランジ部１４ａ〜１４ｃと、フランジ部１４ａ〜１４ｃの内端にて直角後方に折り曲げられ枠本体１３の内周壁に密接する左右上下垂直部（図示しない）と、垂直部の後端で内側に折り曲げられた左右上背面部（図示しない）を設けている。ただし、金属枠に代えて樹脂枠を用いることもできる。そして、前面枠１２には、上部から右側部にかけて発光装置である枠ランプ１５が取り付けられている。金属枠１４の下端近傍の背面部には長方形の所定の厚さの部品搭載板３０が固定されている。
【００１０】
部品搭載板３０には、左寄り位置に効果音を発生するスピーカ３１が設けられており、また右側位置には発射レール３２、発射槌３３等が配設されている。スピーカ３１は、後述する遊技盤４０の裏面に設けた賞球基板５８に接続されており、賞球基板５８の制御により各種効果音を発生するようになっている。部品搭載板３０の上端中央部には、遊技盤４０を前面から支える支持片３４が回動可能に設けられている。
【００１１】
前面枠１２内側には、遊技盤４０が取り付けられている。遊技盤４０は、金属枠１４の背面部に押し付けられ、金属枠１４の左右両側から突出したフック（図示しない）及び支持片３４により固定されている。遊技盤４０は、図１に示すように、周囲に同心円状にかつ化粧板面に垂直にガイドレール４１及び仕切りレール４２が配設されており、両レールの内側は遊技領域４０ａになっている。遊技領域４０ａの中央には、図柄表示基盤４３が設けられている。図柄表示基盤４３は、発光装置である中央大画面の液晶表示形式の図柄表示装置４３ａと、下側の４個のＬＥＤからなる始動口入球記憶数表示部４３ｂとを有している。図柄表示装置４３ａの裏面側には、液晶画面の輝度を調整するための輝度調整ボリューム４３ａ1 （図２には示さない）が設けられている。
【００１２】
図柄表示基盤４３の上部には上入賞口４４ａが、左右両側には左右入賞口４４ｂ，４４ｃが、左右両側の下部には左下入賞口４４ｄ、右下入賞口４４ｅがそれぞれ設けられている。図柄表示基盤４３の直下には、特定入賞口である中央始動口４５が設けられている。中央始動口４５の下には、アタッカ開閉式の大入賞口４６ａが設けられ、大入賞口４６ａの左右には、特定入賞口である左下始動口４６ｂ，右下始動口４６ｃが設けられている。各始動口４５，４６ｂ，４６ｃには、入賞球を検出する始動口スイッチ４５ａ，４６ｂ1 ，４６ｃ1 が設けられており、大入賞口４６ａには大入賞口スイッチ４６ａ1 が設けられている。
【００１３】
大入賞口４６ａの直下は、はずれ球を回収するアウト口４７になっている。左入賞口４４ｂの左側には左電飾ランプ４８ａが、右入賞口４４ｃの右側には右電飾ランプ４８ｂが設けられている。遊技盤４０面には、その他、複数の風車及び多数の釘等が設けられている。
【００１４】
そして、部品基盤２０の発射ハンドル２２の上部には、図１に示すように、前面輝度調整ボリューム２３及び前面音量調整ボリューム２４が取り付けられている。前面輝度調整ボリューム２３は、図柄表示装置４３ａの液晶表示画面の輝度（明るさ）を所定の範囲内で連続的に調節するものである。前面音量調整ボリューム２４は、スピーカ３１の音量を所定の範囲内で連続的に調節するものである。前面輝度調整ボリューム２３、前面音量調整ボリューム２４共、遊技者が摘みを回動することにより手動で調整できるようになっている。ただし、両ボリューム２３，２４の調整は、連続的でなく離散的に行うものでもよい。
【００１５】
本体１０の裏側中央位置には、図２に示すように、樹脂製のセンターカバー５１が設けられており、その左端に各種信号処理を行うメイン基板５２が取り付けられている。センターカバー５１の上部には、賞品球タンク５３が設けられている。賞品球タンク５３の左端下側には、右端下方にわずかに傾斜したタンクレール５４が接続されている。タンクレール５４の右端は、センターカバー５１の右側を下方に延びる賞品球通路５５に連結されている。賞品球通路５５は上下に分離されており、その間に賞品球ケース（賞品球排出装置）５６が介装されている。賞品球ケース５６は、賞品球通路５５に沿って設けたスプロケット（図示しない）の回動により、賞品球通路５５の上側部分から供給される賞品球を１個づつ賞品球通路５５の下側部分に排出するようになっている。賞品球通路５５の下端は、部品基盤２０上に配設される上球受皿（図示しない）につながっている。
【００１６】
センターカバー５１の下側には、上記入賞口等に入賞した遊技球が遊技盤４０の裏面の開口から落下した遊技球を集める入賞球集合樋５７が、右下方向に傾斜して設けられている。入賞球集合樋５７の右端位置には、入賞球検出スイッチ５７ａ、入賞球排出ソレノイド５７ｂ及び入賞球排出カム５７ｃが順次設けられており、入賞球排出カム５７ｃの下側の通路には入賞球排出確認センサ５７ｄが設けられている。入賞球集合樋５７の左端位置には、賞品球の排出等の制御を行う賞球基板５８が取り付けられている。賞球基板５８の下側には、発射モータを含む遊技球発射装置５９が設けられている。
【００１７】
そして、遊技球発射装置５９の右側には、図２に示すように、背面音量調整ボリューム２５、第１切り替えスイッチ２６及び第２切り替えスイッチ２７が取り付けられている。背面音量調整ボリューム２５は、スピーカ３１の音量を所定の範囲内で連続的に調整するもので、パチンコ遊技機の背面側から遊技場の関係者が摘みを回動することにより手動で調整できるようになっている。ただし、背面音量調整ボリューム２５の調整は、連続的でなく離散的に行うものでもよい。
【００１８】
第１切り替えスイッチ２６は、前面音量調整ボリューム２４及び背面音量調整ボリューム２５の内の何れか一方をスピーカ３１への切り替えるスイッチであり、トグルスイッチ、押しボタンスイッチ等が用いられる。第１切り替えスイッチ２６は、通常遊技者の便宜を計るため、前面音量調整ボリューム２４側に切り替えられている。第２切り替えスイッチ２７は、前面輝度調整ボリューム２３及び輝度調整ボリューム４３ａ1 の内の何れか一方を図柄表示装置４３ａへの切り替えるスイッチであり、トグルスイッチ、押しボタンスイッチ等が用いられる。第２切り替えスイッチ２７も、通常遊技者の便宜を計るため、前面輝度調整ボリューム２３側に切り替えられている。なお、第１切り替えスイッチ２６及び第２切り替えスイッチ２７は、パチンコ遊技機の背面側のみならず前面側にも設けるようにすることができる。
【００１９】
つぎに、パチンコ遊技機の図柄表示装置４３ａ及びスピーカ３１の動作を制御する電気制御装置について、図３により説明する。電気制御装置は、上記メイン基板５２及び賞球基板５８の一部に設けられており、Ｉ／Ｏ、ＣＰＵ、ＲＯＭ、ＲＡＭ、タイマ等からなるマイクロコンピュータを備えた制御回路６１を設けている。制御回路６１の入力側には、図３に示すように、上記始動口スイッチ４５ａ，４６ｂ1 ，４６ｃ1 、大入賞口スイッチ４６ａ1 及び入賞球検出スイッチ５７ａが接続されている。
【００２０】
制御回路６１の出力側には、音声合成回路６２が接続されている。音声合成回路６２の出力側には、増幅回路６３が接続されており、増幅回路６３の出力側には第１切り替えスイッチ２６が接続されている。第１切り替えスイッチ２６には、上記前面音量調整ボリューム２４及び背面音量調整ボリューム２５が切り替え可能に設けられている。前面音量調整ボリューム２４及び背面音量調整ボリューム２５は、各々スピーカ３１に接続されている。また、制御回路６１の出力側には、上記第２切り替えスイッチ２７が駆動回路４３ａ2 を介して接続されている。第２切り替えスイッチ２７には、上記前面輝度調整ボリューム２３及び輝度調整ボリューム４３ａ1 が切り替え可能に設けられている。前面輝度調整ボリューム２３及び輝度調整ボリューム４３ａ1 は、各々図柄表示基盤４３に設けた図柄表示装置４３ａに接続されている。さらに、制御回路６１の出力側には、駆動回路６４を介して、上記始動口入球記憶数表示部４３ｂが接続されている。
【００２１】
以上のように構成した実施例１の動作について説明する。遊技開始により、遊技球がいずれかの始動口４５，４６ｂ，４６ｃに入賞すると、制御回路６１から図柄変動信号が出力され、これに応じて駆動回路４３ａ2が図柄表示装置４３ａの変動表示を開始させる。また、遊技球の各始動口４５，４６ｂ，４６ｃ及び各入賞口４４ａ〜４４ｅへの入賞により、制御回路６１から音声合成回路６２に各種音声開始信号が出力され、これに応じて音声合成回路６２から音声信号が出力され、増幅回路６３により増幅されてスピーカ３１に入力され、スピーカ３１から各種効果音として発生される。
【００２２】
この場合、図柄表示装置４３ａの輝度や、スピーカ３１の音量の程度は、遊技者によってそれぞれ異なるものである。そこで、遊技者は、各々の好みに応じて遊技機前面の下側に設けた前面輝度調整ボリューム２３や前面音量調整ボリューム２４を調整することにより、好みの液晶画面の輝度やスピーカの音量が簡単に得られる。その結果、遊技をより好ましい状態で楽しむことができる。
【００２３】
一方、遊技場側も、必要に応じて第１切り替えスイッチ２６によってスピーカ３１への接続を背面音量調整ボリューム２５に切り替えて、背面音量調整ボリューム２５を操作することによりスピーカ３１の音量を調整することができる。また、必要に応じて第２切り替えスイッチ２７によって図柄表示装置４３ａへの接続を輝度調整ボリューム４３ａ1 に切り替えて、輝度調整ボリューム４３ａ1 を操作することにより図柄表示装置４３ａの輝度を調整することができる。その結果、音量調整や輝度調整を遊技者の好みだけに任せることにより生じるアンバランスな状態の継続を、遊技場側でも是正することができる。なお、第１の実施形態においては、必要に応じて、前面輝度調整ボリューム２３及び第２切り替えスイッチ２７を省略してもよい。
【００２４】
つぎに、上記実施例１の変形例について説明する。変形例においては、スピーカ３１の音量や、図柄表示装置４３ａの輝度の調整について、遊技機の表側と裏側から互いに相関をもたせつつ行えるようにしたものである。すなわち、実施例１に示した第１切り替えスイッチ２６及び第２切り替えスイッチ２７を削除し、増幅回路６３の出力側を前面音量調整ボリューム２４及び背面音量調整ボリューム２５に並列に接続し、駆動回路４３ａの出力側を前面輝度調整ボリューム２３及び輝度調整ボリューム４３ａ1 に並列に接続したものである。
【００２５】
以上のように構成した変形例においては、スピーカ３１の音量を前面音量調整ボリューム２４及び背面音量調整ボリューム２５によって各々相関を保ちつつ調整することができる。また、図柄表示装置４３ａの輝度を、前面輝度調整ボリューム２３及び輝度調整ボリューム４３ａ1 によって各々相関を保ちつつ調整することができる。
【００２６】
なお、上記実施例１及び変形例においては、遊技盤の前面側及び背面側にスピーカ３１の音量を調整するボリューム２４，２５を設けているが、遊技盤の前面側のみにボリューム２４を設けることもできる。この場合には、遊技盤前面側のみから遊技者あるいは遊技場関係者によってスピーカの音量調整を行うことができる。
【実施例２】
【００２７】
つぎに、実施例２について図面により説明する。実施例２においては、パチンコ遊技機の図柄表示装置４３ａ及びスピーカ３１の動作を制御する電気制御装置は、図４に示すように変更される。すなわち、実施例１に示した第１切り替えスイッチ２６及び第２切り替えスイッチ２７を、第１自動切り替えスイッチ７１及び第２自動切り替えスイッチ７３に変更した。第１自動切り替えスイッチ７１及び第２自動切り替えスイッチ７３は、手動式のものではなく、制御回路６１の制御により切り替えが行われる電子式のスイッチである。そして、第１自動切り替えスイッチ７１及び第２自動切り替えスイッチ７３は、制御回路６１の出力側に接続され、制御回路６１からの制御信号により切り替えが行われる。
【００２８】
さらに、制御回路６１の入力側に、スピーカ３１への接続を背面音量調整ボリューム２５から前面音量調整ボリューム２４に切り替えるための指令信号を出力する第１切り替え指令スイッチ７２が接続され、図柄表示装置４３ａへの接続を輝度調整ボリューム４３ａ1 から前面輝度調整ボリューム２３に切り替えるための指令信号を出力する第２切り替え指令スイッチ７４が接続される。第１切り替え指令スイッチ７２は、前面音量調整ボリューム２４の側部（図示しない）に設けられ、第２切り替え指令スイッチ７４は、前面輝度調整ボリューム２３の側部（図示しない）に設けられる。
【００２９】
第１切り替え指令スイッチ７２及び第２切り替え指令スイッチ７４をオンすることにより、指令信号が制御回路６１に出力され、これに応じて制御回路６１は、第１自動切り替えスイッチ７１を切り替えて、スピーカ３１への接続を背面音量調整ボリューム２５から前面音量調整ボリューム２４に切り替える。第２自動切り替えスイッチ７３についても同様である。そして、制御回路６１は、指令信号を受けた後、所定時間例えば１時間経過後に、第１自動切り替えスイッチ７１を切り替えて、スピーカ３１への接続を逆に前面音量調整ボリューム２４から背面音量調整ボリューム２５に切り替えるように構成されている。その他の構成は、上記実施例１と同様である。
【００３０】
以上のように構成した実施例２の動作について説明する。遊技中に遊技者は、第１切り替え指令スイッチ７２を押して、スピーカ３１への接続を背面音量調整ボリューム２５から前面音量調整ボリューム２４に切り替え、前面音量調整ボリューム２４を調整することにより、好みのスピーカ３１の音量を簡単に得ることができる。一方、第２切り替え指令スイッチ７４を押して、図柄表示装置４３ａへの接続を輝度調整ボリューム４３ａ1 から前面輝度調整ボリューム２３に切り替え、各々の好みに応じて前面輝度調整ボリューム２３を調整することにより、好みの液晶画面の輝度が簡単に得られる。その結果、遊技をより好ましい状態で楽しむことができる。
【００３１】
そして、第１切り替え指令スイッチ７２が押されて、前面音量調整ボリューム２４に切り替えられても、所定時間経過後に、制御回路６１の指令により、第１自動切り替えスイッチ７１が切り替えられて、スピーカ３１への接続が前面音量調整ボリューム２４から背面音量調整ボリューム２５に切り替えられる。背面音量調整ボリューム２５は、通常標準的な音量になるように設定されているので、遊技者の好みによりばらばらに調整されたスピーカ３１の音量が、所定時間後には自動的に平均的な値にされる。また、背面音量調整ボリューム２５を調整することにより、別の音量に変更することもできる。同様に、図柄表示装置４３ａの画面の輝度も自動的に調整される。そのため、遊技者の好みによる極端な音量や輝度の設定状態の永続が防止される。
【００３２】
なお、実施例２においては、前面音量調整ボリューム２４、第１自動切り替えスイッチ７１及び第１切り替え指令スイッチ７２の組と、前面輝度調整ボリューム２３、第２自動切り替えスイッチ７３及び第２切り替え指令スイッチ７４の組の内の何れか一方のみを設けるようにしてもよい。
【実施例３】
【００３３】
つぎに、実施例３について図面により説明する。実施例３においては、発光装置として図柄表示装置の液晶画面のみでなく、上記枠ランプ１５及び電飾ランプ４８ａ，４８ｂのようなランプ類についても輝度（明るさ）調整を可能にしたものである。輝度調整器８０は、図５及び図６に示すように、遊技者が容易に操作可能なように、本体前面の上球受皿３６の前面に引出し可能に収容されており、１タッチで引き出し可能になっている。輝度調整器８０は、図７に示すように、ランプ調整用と、液晶調整用に分けられており、調整摘み８１，８２を横方向にスライドさせて操作する形式になっている。ただし、調整摘みについては、上記実施例に示したと同様の形態であってもよい。
【００３４】
ランプ用の輝度調整器の調整機構は、調整ツマミ８１に連動した可変抵抗が変化し、ランプへの出力を変化させるようになっている。液晶画面用の輝度調整器の調整機構は、調整ツマミ８２に連動してモータが回動し、これに連動したポテンショメータ等の変化によって、液晶装置への出力を変化させるようになっている。
【００３５】
以上のように構成した実施例３においては、遊技者は、上球受皿３６に設けた輝度調整器８０の調整ツマミ８１，８２を操作することにより、図柄表示装置４３の液晶画面の輝度に加えて、枠ランプ１５、電飾ランプ４８ａ，４８ｂの輝度を、簡単に好みに応じた状態にすることができ、快適な状態で遊技を行うことができる。
【００３６】
なお、実施例３においても、上記実施例１及び実施例２に示したように、背面側に枠ランプ１５等の輝度調整用の摘みを設けることができ、さらに、ランプへの接続を背面側調整摘み及び前面側調整摘みから互いに切り替えるため切り替えスイッチ等を設けることもできる。
【００３７】
なお、上記実施例１ないし実施例３においては、音量調整ボリューム及び輝度調整ボリュームは、摘みを回したりスライドさせたりすることにより調整する形式のものであるが、これに代えて、リモコンにより非接触で調整できる周知の形式のものとすることもできる。これにより、遊技機からはなれた位置で音量、輝度を調整でき便利である。
【００３８】
なお、音量調整ボリュームについては、高音側と低音側に分けて調整できるようにすることもできる。これにより、音量調整をさらに多様な形態で行うことができる。また、液晶画面の輝度調整の代わりに色調調整等を行うようにすることもできる。
【００３９】
また、各調整ボリュームの調整機能については、遊技が通常状態にあるときと、大当り等の特別入賞状態にあるときとで分けることもできる。これにより、特別入賞状態になったときには、音量を大きくしまた輝度を高くし、通常状態では、音量を小さし輝度を低くする等、遊技状態に応じて出力量に変化をもたせることができる。
【００４０】
さらに、上記実施例においては、本発明をパチンコ遊技機に適用した場合について説明しているが、アレンジ遊技機、スロットマシン等の他の種類の遊技機に対しても、本発明を適用することができる。上記実施例には特許請求の範囲に記載された発明に加えて次の［発明１］〜［発明６］のそれぞれが記載されている。
［発明１］
遊技の進行状態を示すのに必要な情報を出力する少なくとも１つの出力装置を設けた遊技機において、同遊技機本体の前面に前記出力装置からの出力量を所定の範囲内で調整できる出力調整器を設け、同出力調整器により前記出力装置の出力内容を変更できるようにしたことを特徴とする遊技機。この発明１によれば、遊技者は本体前面に設けた出力調整器を操作することによりスピーカの音量や液晶表示装置の輝度や色合い等を所定範囲内で簡単に調整することができ、遊技を快適な状態で行うなうことができる。
［発明２］
遊技の進行状態を示すのに必要な情報を音声出力するスピーカを設けた遊技機において、同遊技機本体の前面に前記スピーカからの音量を所定の範囲内で調整できる音量調整器を設けたことを特徴とする遊技機。この発明２によれば、遊技者は本体前面に設けた音量調整器を操作することによりスピーカの音量を所定範囲内で簡単に調整することができ、遊技を快適に行うなうことができる。
［発明３］
発明２に記載の遊技機において、前記遊技機本体の裏面側に前記スピーカからの音量を所定の範囲内で調整できる第２音量調整器を設けると共に前記音量調整器及び第２音量調整器の前記スピーカへの接続を何れか一方に切り替える切り替え手段を設けたことを特徴とする遊技機。この発明３によれば、本体裏面側に設けた第２音量調整器を操作することにより遊技場側でもスピーカの音量を簡単に調整することができる。そして、音量調整器及び第２音量調整器のスピーカへの接続を切り替え手段により何れか一方に簡単に切り替えることができる。また、音量調整を遊技者の好みだけに任せることにより生じるアンバランスな状態の継続を遊技場側でも是正することができる。
［発明４］
発明２に記載の遊技機において、前記遊技機本体の裏面側に前記音量調整器と相関を持って前記スピーカからの音量を所定の範囲内で調整できる第２音量調整器を設けたことを特徴とする遊技機。この発明４によれば、本体裏面側に設けた第２音量調整器を操作することにより本体前面側で操作された音量調整器の調整内容に相関を持たせて遊技場側でもスピーカの音量を簡単に調整することができる。また、音量調整を遊技者の好みだけに任せることにより生じるアンバランスな状態の継続を遊技場側でも是正できる。
［発明５］
発光装置を設けた遊技機において、前記発光装置の発光特性を調整する発光調整器を、遊技者が操作可能な位置に設けたことを特徴とする遊技機。この発明５によれば、遊技者は発光調整器を操作することにより発光装置の輝度や色調等の発光特性をいつでも自己の好みに合った状態に調整することができる。
［発明６］
遊技の進行状態を示すのに必要な情報を出力する少なくとも１つの出力装置を設けた遊技機において、前記遊技機本体の前面に設けられ前記出力装置からの出力量を所定の範囲で調整できる第１出力調整器と、前記遊技機本体の裏面側に設けられ前記出力装置からの出力量を所定の範囲で調整できる第２出力調整器と、前記第１出力調整器及び第２出力調整器の前記出力装置への接続を何れか一方に切り替える切り替え手段と、前記出力装置への接続を前記第２出力調整器から第１出力調整器に切り替えるように指令する切り替え指令手段と、前記切り替え指令手段の指令に応じて前記切り替え手段により前記出力装置への接続を前記第２出力調整器から第１出力調整器へ切り替えさせるように制御する第１切り替え制御手段と、前記切り替え手段により前記出力装置への接続が前記第２出力調整器から前記第１出力調整器に切り替えられたときに切り替え信号を出力する切り替え信号出力手段と、同切り替え信号出力手段からの切り替え信号を受けた後の一定時間経過後に前記切り替え手段により前記出力装置への接続を前記第１出力調整器から前記第２出力調整器に切り替えさせる第２切り替え制御手段とを設けたことを特徴とする遊技機。この発明６によれば、切り替え指令手段の切り替え指令に応じて第１切り替え制御手段の制御下にて切り替え手段により出力装置への接続が第２出力調整器から本体前面の第１出力調整器に切り替えられる。これにより、遊技者は出力装置の出力量を第１出力調整器を用いて所望の値に調整できる。一方、第１出力調整器への切り替えに応じて切り替え信号出力手段により切り替え信号が出力される。これに応じて所定時間経過後に第２切り替え制御手段の制御下で切り替え手段により出力装置への接続が自動的に第１出力調整器から第２出力調整器に切り替えられる。すなわち、遊技者の好みによりばらばらに調整された出力装置の出力量が所定時間後には通常は平均的な出力量に調整されている第２出力調整器により平均的な値にされる。
【図面の簡単な説明】
【００４１】
【図１】本発明の一実施形態に係るパチンコ遊技機（前面扉及び上皿盤を取り外した状態）を概略的に示す正面図である。
【図２】同パチンコ遊技機の背面側を概略的に示す正面図である。
【図３】第１の実施形態に係るパチンコ遊技機の電気制御装置を概略的に示すブロック図である。
【図４】第２の実施形態に係るパチンコ遊技機の電気制御装置を概略的に示すブロック図である。
【図５】第３の実施形態に係るパチンコ遊技機を示す正面図である。
【図６】同パチンコ遊技機の上球受皿に輝度調整器が収容された状態及び引き出された状態を示す側面図である。
【図７】輝度調整器を概略的に示す正面図である。
【符号の説明】
【００４２】
１０は本体、１１は外枠、１２は前面枠、１３は枠本体、１４は金属枠、１５は枠ランプ、２０は部品基盤、２１は下皿、２２は発射ハンドル、２３は前面輝度調整ボリューム、２４は前面音量調整ボリューム、２５は背面音量調整ボリューム、２６は第１切り替えスイッチ、２７は第２切り替えスイッチ、３０は部品搭載板、３１はスピーカ、３２は発射レール、４０は遊技盤、４０ａは遊技領域、４３は図柄表示基盤、４３ａは図柄表示装置、４３ａ1は輝度調整ボリューム、４５は中央始動口、４６ａは大入賞口、４６ｂは左下始動口、４６ｃは右下始動口、４５ａ，４６ｂ1 ，４６ｃ1は始動口スイッチ、４６ａ1は大入賞口スイッチ、５２はメイン基板、５７ａは入賞球検出スイッチ、５８は賞球基板、６１は制御回路、７１は第１自動切り替えスイッチ、７２は第１切り替え指令スイッチ、７３は第２自動切り替えスイッチ、７４は第２切り替え指令スイッチ、８０は輝度調整器。
【図１】
2008253795.tif 000003
【図２】
2008253795.tif 000004
【図３】
2008253795.tif 000005
【図４】
2008253795.tif 000006
【図５】
2008253795.tif 000007
【図６】
2008253795.tif 000008
【図７】
2008253795.tif 000009